(57)【要約】【課題】２連式吐出器の内部の洗浄性の向上を図る。【解決手段】２連式吐出器１は、容器２、３のそれぞれの口部２ａ、３ａに着脱自在に連結される２つのホルダー４、５と、それぞれのホルダー４、５の開口４ａ、５ａに吸入弁６、７を介して一方の端部８ａ、９ａがつながる管体８、９と、これら管体８、９につながるポンプ１０と、管体８、９の他方の端部８ｂ、９ｂに吐出弁１２、１３を介してつながるノズル１１とを具える。ポンプ１０は、２つの管体８、９の各送給通路にそれぞれつながる吸排口１４ａ〜ｃを有しその内部に２つの空間領域Ｓ１、Ｓ２を区画形成する同心二重のシリンダー１５と、このシリンダー１５の各空間領域Ｓ１、Ｓ２にそれぞれ往復移動可能に配置され各容器内の内容物を同時に吸入、加圧、ノズルへ向けて吐出する２つのピストン１６ａ、１６ｂとからなる。ノズル１１は管体８、９の他方の端部８ｂ、８ｃに着脱自在に連結される。【選択図】図１
2008100742.tif 000002
【特許請求の範囲】
【請求項１】
異なる内容物を収容した２つの容器のそれぞれの口部に着脱自在に連結される２つのホルダーと、それぞれのホルダーの開口に吸入弁を介して一方の端部がつながり容器内の内容物を通過させる送給通路を形成する２つの管体と、これら管体につながり容器内の内容物を吸入、加圧、吐出するポンプと、前記管体の他方の端部に吐出弁を介してつながり該吐出弁を通過させた内容物を外界へ向けて排出するノズルとを具えた２連式吐出器であって、
前記ポンプは、前記２つの管体の各送給通路にそれぞれつながる吸排口を有しその内部に２つの空間領域を区画形成する同心二重のシリンダーと、このシリンダーの各空間領域にそれぞれ往復移動可能に配置され各容器内の内容物を同時に吸入、加圧、ノズルへ向けて吐出する２つのピストンとからなり、
前記ノズルは前記管体の他方の端部に着脱自在に連結されることを特徴とする２連式吐出器。
【請求項２】
前記ノズルは前記管体に嵌合連結される、請求項１に記載の２連式吐出器。
【請求項３】
前記ノズルと前記管体との間にヒンジ部をさらに具え、このヒンジ部を介して前記ノズルが前記管体に連結される、請求項１又は２に記載の２連式吐出器。
【発明の詳細な説明】
【技術分野】
【０００１】
この発明は、２つの容器内に収容した種類の異なる内容物を同時に吐出させ、使用直前において混合するのに適した吐出器、より具体的には、内容物を収容した２つの容器のそれぞれの口部に着脱自在に連結される２つのホルダーと、それぞれのホルダーの開口に吸入弁を介して一方の端部がつながり容器内の内容物を通過させる送給通路を形成する２つの管体と、これら管体につながり容器内の内容物を吸入、加圧、吐出するポンプと、前記管体の他方の端部に吐出弁を介してつながり該吐出弁を通過させた内容物を外界へ向けて排出するノズルとを具えた２連式吐出器に関するものであり、かかる吐出器の内部の洗浄性の向上を図る。
【背景技術】
【０００２】
近年、染毛料、洗顔フォーム、トリートメント等の分野において、２種類の異なる液体を使用直前に混合して使用するものが商品化されている。かかる商品は、それぞれの液体を個別の容器に収容し、それらを１セットとして販売するのが通常であり、使用に際してはユーザーがそれぞれの容器から所定の割合となるように２種類の液を個別に注出し混合するという煩雑な作業を要していた。
【０００３】
かかる商品の利便性を高めるために、各容器の口部にポンプ装置の吸入口を接続し、このポンプを手で駆動することにより、各容器から同時に内容物を吸引して同時に吐出する吐出装置が知られている（例えば特許文献１を参照。）。
【特許文献１】特開２００５−１２６１４４号公報
【発明の開示】
【発明が解決しようとする課題】
【０００４】
しかし、前記のような商品では、使用間隔が長くなってしまった場合等において、ノズル内の内容物が変質したり固化したりすることによって、吐出不良等の問題を生じる虞がある点に改善の余地があった。
【０００５】
この発明は、従来技術が抱えるこのような問題点を解決することを課題とするものであり、その目的は、内部の洗浄性を向上させた２連式吐出器を提供することにある。
【課題を解決するための手段】
【０００６】
前記の目的を達成するため、この発明は、異なる内容物を収容した２つの容器のそれぞれの口部に着脱自在に連結される２つのホルダーと、それぞれのホルダーの開口に吸入弁を介して一方の端部がつながり容器内の内容物を通過させる送給通路を形成する２つの管体と、これら管体につながり容器内の内容物を吸入、加圧、吐出するポンプと、前記管体の他方の端部に吐出弁を介してつながり該吐出弁を通過させた内容物を外界へ向けて排出するノズルとを具えた２連式吐出器であって、前記ポンプは、前記２つの管体の各送給通路にそれぞれつながる吸排口を有しその内部に２つの空間領域を区画形成する同心二重のシリンダーと、このシリンダーの各空間領域にそれぞれ往復移動可能に配置され各容器内の内容物を同時に吸入、加圧、ノズルへ向けて吐出する２つのピストンとからなり、前記ノズルは前記管体の他方の端部に着脱自在に連結されることを特徴とする２連式吐出器である。かかる構成を採用することにより、特にポンプの構造の簡素化及び小型化が可能となり、併せて使用後に吐出器からノズルを取り外してその内部にアクセスすることが容易となる。
【０００７】
また、使用中の脱落を防止しつつ取り外しを容易にする観点からは、ノズルは管体に嵌合連結されることが好ましい。さらに、ノズルと管体との間にヒンジ部を設け、このヒンジ部を介してノズルを管体に連結することが好ましい。
【発明の効果】
【０００８】
この発明によれば、ポンプを構成するシリンダーを同心の二重構造としたので、従来技術の吐出装置のようにシリンダーが並置されたものに比べて、ポンプの構造が簡素かつ小型となるとともに、片手での吐出器の操作も容易となるので、操作性が大幅に向上する。また、使用後に内容物の残留するノズルを取り外すことができるので、容易にその内部を洗浄することができる。
【発明を実施するための最良の形態】
【０００９】
次に、図面を参照しつつ、この発明の実施の形態を説明する。
【００１０】
図１は、この発明に従う２連式吐出器の第１の実施態様の側面を断面で示す図であり、図２は、この吐出器の背面を断面で示した図であり、いずれも容器に取り付けた状態で示す。また、図３は、図１に示す２連式吐出器のノズルの上面図である。
【００１１】
図１に示す吐出器１は、異なる内容物を収容したチューブタイプの容器２、３のそれぞれの口部２ａ、３ａにホルダー４、５を着脱自在に連結することにより、容器２、３を固定保持している。このホルダー４、５には、容器２、３のそれぞれの口部２ａ、２ｂと連通する開口４ａ、５ａと、吸入時にのみ内容物を通過させる逆止弁である吸入弁６、７が設けられている。
【００１２】
また、吐出器１は、容器２、３内の内容物を通過させる送給通路となる管体８、９も具える。管体８、９は、一方の端部８ａ、９ａにおいて吸入弁６、７を介してホルダー４、５の開口４ａ、５ａにつながっており、中間部分において容器２、３内の内容物を吸入し、加圧し、吐出するポンプ１０につながっており、他方の端部８ｂ、９ｂにおいて内容物を外界へ向けて排出するノズル１１につながっている。管体８、９の他方の端部８ｂ、９ｂには、吐出時にのみ内容物を通過させる逆止弁である吐出弁１２、１３が設けられている。なお、管体８、９は、図示の態様のように複数の管状部材を繋いで構成してもよく、また、一体に成形してもよい。
【００１３】
ポンプ１０は、管体８、９にそれぞれつながる吸排口１４ａ、１４ｂ、１４ｃを有しその内部に２つの空間領域Ｓ１、Ｓ２を区画形成する同心二重のシリンダー１５と、このシリンダー１５の各空間領域Ｓ１、Ｓ２にそれぞれ往復移動可能に配置され各容器２、３内の内容物を同時に吸入し、加圧し、ノズル１１へ向けて吐出する２つのピストン１６ａ、１６ｂとからなる。このように、シリンダー１５がその内部において同心二重になっていることから、２つのシリンダーを並列に配列していた従来のポンプに比べて、構造の簡素化、吐出器の小型化が可能となり、かつ片手で容器を把持しながらポンプを操作することによって内容物を容易に排出することができる。
【００１４】
次に、このような吐出器１における内容物の流れについて説明する。初期状態からユーザーの指等によりポンプ１０をシリンダー１５の空間領域Ｓ１、Ｓ２の容積が縮小する向きに操作した後、この操作を解除してばね力等によりシリンダー１５の空間領域Ｓ１、Ｓ２の容積を拡大すると、管体８、９内には負圧が生じ、これによって吸入弁６、７が開き、同時に吐出弁１２、１３が閉じ、容器２、３内の内容物が管体８、９を通って、空間領域Ｓ１、Ｓ２に吸入される。次いで、空間領域Ｓ１、Ｓ２の容積を縮小する向きにポンプ１０を操作すると、管体８、９内の内容物は加圧され、この圧力によって吸入弁６、７が閉じ、同時に吐出弁１２、１３が開き、空間Ｓ１、Ｓ２内の内容物が管体８、９を通ってノズル１１に送られる。２つの管路８、９内の内容物は、ノズル１１から外界に向けて排出される。
【００１５】
このように、ノズル部分は最も外界に近い部分であり、未使用時に開口部分が蓋体で覆われるようにされた容器であってもノズル部分に残存した内容物は変質、固化する虞があり、使用後に適切な洗浄を施さねば、次回の使用時に支障を来す場合がある。そこで、この発明に従う吐出器１では、ノズル１１を管体８、９の端部８ｂ、９ｂに着脱自在に連結することで、使用後にノズル１１を取り外し、容易にその内部を洗浄できるように構成している。これにより、次回の使用時にノズルが詰まったり、変質した混合内容物を完全に排出するためにポンプ操作を繰り返したりすることがなくなる。また、ノズル内で内容物を混合する構造とした場合には、その内容物の組み合わせによって前記現象が顕著になる場合がある。つまり、管体８、９及びポンプ１０の内部に残存する未混合状態の内容物には生じなくとも、ノズル内に残存する混合状態の内容物が変質、固化等の問題を生じる可能性が高まる。しかし、この場合においても、上記構成を備えることによりノズル詰まり等の問題を解消することができる。
【００１６】
また、特に内容物の粘性が高い場合や、ノズル１１の出口径が小さい場合に、内容液の圧力により使用中にノズル１１が管体８、９から外れるおそれがある。そこで、第１実施態様では、管体８、９のノズル側端部８ｂ、９ｂに嵌合突起８ｃ、９ｃを設け、一方、ノズル１１の管体側端部に嵌合溝１１ａ、１１ｂを設け、これら嵌合突起８ｃ、９ｃを嵌合溝１１ａ、１１ｂ内にそれぞれ嵌め込むことで、ノズル１１を管体８、９に嵌合連結している。これにより、ノズル１１の取り外しやすさを損なうことなく、ノズル１１と管体８、９の間の連結を一層強固にすることができ、使用中の不慮のノズルの外れを有効に防止できる。
【００１７】
さらに、第１実施態様では、図３に示すように、ノズル１１の側面に、一対の小片１７を設け、ノズル１１の取り外し時にユーザーが小片１７に指をかけられるように構成しており、これによってノズル１１の取り外しやすさを向上させている。
【００１８】
次に、この発明に従う２連式吐出器の第２の実施態様について説明する。
図４は、２連式吐出器の第２実施態様の側面を断面で示す図であり、図５は、この吐出器の背面を断面で示した図であり、いずれも容器に取り付けた状態で示す。また、図６は、図４に示す２連式吐出器のノズルの上面図である。なお、以下の説明において、図１〜３と同一の部分は、同一の符号をもってその説明を省略する。
【００１９】
この実施態様では、ノズル１１と管体８、９との間にヒンジ部１８を設けている。このヒンジ部１８は、一方の端部がノズル１１に接続されており、他方の端部に管体８、９の形状に対応する穴部が形成されており、この穴部で管体８、９に取り付けられている。ヒンジ部１８を閉じた状態では、ノズル１１は管体８、９にそれらの上部を覆うようにして連結されており、一方ヒンジ部１８を開いた状態では、ノズル１１は管体８、９からは取り外され、ヒンジ部１８によって支持されている。このように構成することで、取り外したノズル１１を紛失するおそれがなく、また取り外したノズル１１の置き場所を考慮する必要もなくなることから、利便性が向上する。
【００２０】
なお、この実施態様では、ヒンジ部１８の他方の端部に嵌合突起１８ｃを設け、これにノズル１１の嵌合溝１１ａを嵌合させることで、ヒンジ部１８を閉じた状態でノズル１１を固定できるように構成しているが、他の手段によりノズル１１を固定することもできる。
【００２１】
上述したところは、この発明の実施形態の一部を示したにすぎず、この発明の趣旨を逸脱しない限り、これらの構成を相互に組み合わせたり、種々の変更を加えたりすることができる。例えば、図示の態様では、ユーザーの指により直接ポンプが押されるように構成されているが、ノズル又は管体にレバーを設け、このレバーを駆動することでポンプを操作してもよい。また、図示の態様では、２つの容器の口部を横並び配列しているが、これに限定されず、縦方向に並べること等もできる。
【産業上の利用可能性】
【００２２】
以上の説明から明らかなように、この発明によって、内部の洗浄性を向上させた２連式吐出器を提供することが可能となった。
【図面の簡単な説明】
【００２３】
【図１】この発明に従う２連式吐出器の第１の実施態様の側面を断面で示す図であり、容器に取り付けた状態で示す。
【図２】図１に示す吐出器の背面を断面で示した図であり、容器に取り付けた状態で示す。
【図３】図１に示す２連式吐出器のノズルの上面図である。
【図４】この発明に従う２連式吐出器の第２の実施態様の側面を断面で示す図であり、容器に取り付けた状態で示す。
【図５】図４に示す吐出器の背面を断面で示した図であり、容器に取り付けた状態で示す。
【図６】図４に示す２連式吐出器のノズルの上面図である。
【符号の説明】
【００２４】
１  ２連式吐出器
２、３  容器
２ａ、３ａ  容器の口部
４、５  ホルダー
４ａ、５ａ  ホルダーの開口
６、７  吸入弁
８、９  管体
８ａ、８ｂ、９ａ、９ｂ  管体の端部
８ｃ、９ｃ、１８ｃ  嵌合突起
１０  ポンプ
１１  ノズル
１１ａ、１１ｂ  嵌合溝
１２、１３  吐出弁
１４ａ、１４ｂ、１４ｃ  吸排口
１５  シリンダー
１６ａ、１６ｂ  ピストン
１７  小片
１８  ヒンジ部
【図１】
2008100742.tif 000003
【図２】
2008100742.tif 000004
【図３】
2008100742.tif 000005
【図４】
2008100742.tif 000006
【図５】
2008100742.tif 000007
【図６】
2008100742.tif 000008